(57)【要約】【課題】常に一定の放射量を原稿に対して供給できる光源装置を簡単な構造で提供すること。【解決手段】長尺状導光体１の少なくとも一端に配置されたＬＥＤ２からの放射光を当該導光体１の長手方向に導くとともに、放射光の一部を反射および出射させながらコンタクトガラス上に載置された原稿を線状に照明する構成において、前記導光体１の前記ＬＥＤ２が配置された側の端部には、当該ＬＥＤ２の放射光を減衰させる部材が着脱自在に設けられたことを特徴とする。【選択図】    図１
2011130216.tif 000002
【特許請求の範囲】
【請求項１】
長尺状導光体の少なくとも一端に配置されたＬＥＤからの放射光を当該導光体の長手方向に導くとともに、放射光の一部を反射および出射させながらコンタクトガラス上に載置された原稿を線状に照明する光源装置において、
前記導光体の前記ＬＥＤが配置された側の端部には、当該ＬＥＤの放射光を減衰させる部材が設けられたことを特徴とする光源装置。
【請求項２】
前記ＬＥＤは前記導光体の両端に設けられることを特徴とする請求項２の光源装置。
【発明の詳細な説明】
【技術分野】
【０００１】
この発明は光源装置に関する。特に、画像読取装置に使う光源装置に関する。
【背景技術】
【０００２】
複写機などの画像読取装置では、コンタクトガラス上に載置された原稿に対して線状の光を照射して、原稿台で反射された光をＣＣＤで結像する線状光源装置が知られている。この線状光源装置は、導光体の端部にＬＥＤを配置して、ＬＥＤからの放射光を導光体で導きながら一部を放射していく構造となっている。
【０００３】
図４は従来の光源装置の概略構成を示す。（ａ）は導光体の長手方向を全体に眺めた状態を示し、（ｂ）は導光体のＬＥＤ側から眺めた状態を示す。図において、ＬＥＤの放射光は、導光体に入射したあと、原稿台に向けて一部が出射しながら他方の端部まで導かれる。原稿台に載置された原稿を照明した光は、反射光として、レンズを透過してＣＣＤに入射される。
【先行技術文献】
【特許文献】
【０００４】
【特許文献１】特開２００５−１０２１１２号公報
【特許文献２】特開平５−３２７６１４号公報
【特許文献３】特開２０００−１９６８１９号公報
【発明の概要】
【発明が解決しようとする課題】
【０００５】
ここで、ＬＥＤの技術は年々進歩しており放射光量も年々アップしている。その一方で、上記した光源装置は、特定のＬＥＤを対象として、その放射量に基づいて導光体、反射部材、原稿台の構造や相互の配置関係が設計されている。このため、ＬＥＤが技術進歩すると、原稿台における照度は必要以上に明るすぎることがある。
もっとも、ＬＥＤが技術進歩したとしても、古いタイプのＬＥＤを使い続けることもできる。しかし、ＬＥＤメーカは、ひとたび新製品を開発すると、放射光量の少ない旧タイプを扱わなくなるのが現実である。
【０００６】
さらに、導光体と原稿台の間に減光部材を介在させることも考えられる。しかし、画像読取装置は小型化しており、減光部材の挿入は容易なことではない。
【０００７】
さらに、ＬＥＤや導光体は同一規格として製作したつもりであっても、完成品には性能にバラツキが生じることがある。また、導光体とＬＥＤの微妙な配置関係でも原稿台における照射光量にはバラツキを発生させる。しかし、このような場合であっても、光源装置としては、常に一定の光量を放射できるものでなければならない。
【０００８】
そこで、常に一定の放射量を原稿に対して供給できる光源装置を簡単な構造で提供することを目的とする。
【課題を解決するための手段】
【０００９】
この発明の光源装置は、長尺状導光体の少なくとも一端に配置されたＬＥＤからの放射光を当該導光体の長手方向に導くとともに、放射光の一部を反射および出射させながらコンタクトガラス上に載置された原稿を線状に照明する構成において、前記導光体の前記ＬＥＤが配置された側の端部には、当該ＬＥＤの放射光を減衰させる部材が着脱自在に設けられたことを特徴とする。
【００１０】
さらに、前記ＬＥＤは前記導光体の両端に設けられることを特徴とする。
【発明の効果】
【００１１】
本発明の光源装置はＬＥＤが配置された側の端部に当該ＬＥＤの放射光を減衰させる部材が着脱自在に設けられたことから、ＬＥＤに適した部材を取り付けることで、常に最適な照明を可能にする。
【図面の簡単な説明】
【００１２】
【図１】この発明に係る光源装置を示す。
【図２】この発明に係る光源装置を示す。
【図３】この発明に係る光源装置の他の実施形態を示す。
【図４】従来の光源装置を示す。
【発明を実施するための形態】
【００１３】
図１は本発明の光源装置の概略構成を示す。導光体１の一端にはＬＥＤ２が配置している。ＬＥＤ２と導光体１の間には後述する減光部材３が配置される。導光体１は断面円形の長尺円柱部材であって、例えば、アクリル樹脂などの透光部材からなる。導光体１の底部１１には図示略であるが微小な鋸波状の凹凸が形成される。光を反射させるためである。ＬＥＤ２からの放射光は、減衰部材３を介して導光体１の端面から入射して、導光体１の内面で反射を繰り返して長手方向に伝播する。伝播に伴い、光の一部は出射部１２より原稿台（コンタクトガラス）４に向けて放射される。導光体１の数値例をあげると、外径φ6ｍｍ、長さ340ｍｍである。
【００１４】
減衰部材３は例えばアクリルまたは石英から構成される透光部材であり、導光体１と同様に断面円形の円柱部材からなる。導体体１と異なる材料から構成しても良いし、導光体１と同一材料であって金属物質などをドープさせてもかまわない。減衰部材３は、ＬＥＤ２の放射光を所定量減衰させた後、導光体１に当該減衰された光を入射させる。本実施例では、減衰部材３は導光体１と同径であり、両者は端面同士で接合している。
【００１５】
ＬＥＤ２は、例えば波長450nmの発光と570ｎｍの発光を混合し放射する白色発光ＬＥＤが使われる。あるいは、青色ＬＥＤ、赤色ＬＥＤ、あるいは緑色ＬＥＤの３つを一つの端部に配置させてもよい。
【００１６】
図２は本発明の光源装置の他の実施形態を示す。（ａ）は導光体１と減衰部材３の間に耐熱接着剤５を介在させて両者を接合した形態を示す。この構造は、減衰部材３が光を熱に変換させているため、導光体１が当該熱の影響を受けないという点で有利である。耐熱接着剤５は、例えばシリコン系接着剤を使うことができる。（ｂ）は導光体１に比べて減衰部材３の外径が小さい形態を示す。具体的には、導光体１の端部に凹部６を設けて減衰部材３を当該凹部６に差し込むことができる。この構造の利点は減衰部材３と導光体１の間に光の損失が存在しないことであり、減衰部材３による減衰光量を正確に反映させることができる。（ｃ）は導光体１に比べて減衰部材１の外径が大きい形態を示す。具体的には、減衰部材３の端部に凹部７を設けて、導光体１を当該凹部７に差し込むことができる。この構造の利点は、ＬＥＤの光をロスなく集めることができることある。（ｄ）は導光体１と減衰部材３を端面同士接触させるのではなく、両者を僅かに離間させる形態を示す。この構造の利点は減衰部材３の熱が導光体１に伝達することを防止できる。離間距離は数ミリ程度である。
【００１７】
さらに、図２に示す全ての実施例において、導光体１と減衰部材３であって、減衰部材３の端面に無反射コーティングを施すこともできる。減衰部材３の端面における反射を防止できるからである。
【００１８】
減衰部材３は導光体１に対して着脱自在である。すなわち、特定のＬＥＤを対象にした光源装置であって、ＬＥＤを最新バージョンに変更したい場合であっても、当該減衰部材３も放射特性が劣る部材に簡単に変更することができる。
【００１９】
図３は本発明の光源装置の他の実施形態を示す。図１および図２に示した光源装置は導光体の片側端部のみＬＥＤが配置されていたが、本実施例は導光体の両端にそれぞれＬＥＤが配置されている。そして、本実施例においては、導光体１の両端に減衰部材３がそれぞれ配置される。この構造の利点は、減衰部材を使うことで、最新のＬＥＤによる明るスギルという両端からの光量を良好に抑えることができるとともに、両端それぞれから入射さえるＬＥＤの特性を一致させることができる。
【００２０】
当該減衰部材として透過波長の選択性のあるものにすることで出力される光の色度を変えることもできる。
【符号の説明】
【００２１】
１  導光体
２  ＬＥＤ
３  減衰部材
４  原稿台
【図１】
2011130216.tif 000003
【図２】
2011130216.tif 000004
【図３】
2011130216.tif 000005
【図４】
2011130216.tif 000006